(57)【特許請求の範囲】
【請求項１】
引き違いとなる２枚の引戸の引戸閉鎖時重合する一対の召し合わせ框において、引戸閉鎖時相互に対向する面の一方である一の面の内側に、この一の面と平行な円板である駆動板をその中心軸の回りに回動可能に設け、この駆動板の外周部に植設した駆動ピンを、一の面に形成され、ほぼ水平方向に延在する円弧状の案内開口を挿通させて、引戸閉鎖時一の面と対向する他の面側に突出させ、一方、引戸閉鎖時戸枠と当接する戸先框側の端部を始端とし、反対側の端部を終端とする上記案内開口の外側で、始端と終端との間にばね掛けピンを設け、このばね掛けピンと駆動ピンとの間に思案ばねを弾装し、他方、他方の召し合わせ框の他の面にストライク板を装着し、このストライク板の戸先框側の側端縁部に駆動ピンを受入れる導入開口と、これに連設された縦長のガイド溝を形成したことを特徴とする引戸の引分装置。
【請求項２】
引き違いとなる２枚の引戸の引戸閉鎖時重合する一対の召し合わせ框において、引戸閉鎖時相互に対向する面の一方である一の面の内側に、この一の面と平行な円板である駆動板をその中心軸の回りに回動可能に設け、この駆動板の外周部に植設した駆動ピンを、一の面に形成され、ほぼ水平方向に延在する円弧状の案内開口を挿通させて、引戸閉鎖時一の面と対向する他の面側に突出させ、一方、上記案内開口の引戸閉鎖時戸枠と当接する戸先框側の端部を始端、反対側の端部を終端と夫々定め、上記駆動板の外側、かつその中心軸に関し案内開口とは反対側で、案内開口の始端と終端との間にばね掛けピンを設け、このばね掛けピンと駆動ピンとの間に思案ばねを弾装し、他方、他方の召し合わせ框の他の面にストライク板を装着し、このストライク板の戸先框側の側端縁部に駆動ピンを受入れる導入開口と、これに連設された縦長のガイド溝を形成したことを特徴とする引戸の引分装置。
【請求項３】
上記駆動板に歯車の歯を形成し、一方、駆動板の外側に、駆動板と噛み合い係合をするピニオンと、このピニオンに一方向クラッチを介して連結されるダンパーを設け、上記一方向クラッチが引戸閉鎖時作動してピニオンとダンパーとを連結するようにしたことを特徴とする請求項１又は２に記載の引戸の引分装置。
【発明の詳細な説明】
【技術分野】
【０００１】
この発明は、新規な引戸の引分装置に係り、特に、引き違いとなる２枚の引戸の一方を閉鎖位置に置き、他方の引戸を閉めるだけで自動的に引戸の引分ができる引分装置に関する。
【背景技術】
【０００２】
引き違いとなる引戸を閉鎖するには、例えば２枚の引戸の場合、２枚の引戸の召し合わせ框が重合するように引戸の位置を調整し、例えばクレセント錠により錠止する。
【発明の開示】
【発明が解決しようとする課題】
【０００３】
上記２枚の引戸の召し合わせ框が重合するように引戸の位置を調整することを引分と言うが、この引分操作は例えば一の引戸を閉鎖位置に置き、その後他の引戸を閉鎖位置に置く２段操作と、両方の引戸を両手で引き分けるように操作し、召し合わせ框を重合させる１段操作が考えられる。
【０００４】
しかしながら、何れの引分操作も、蝶番で支持された扉を一動作で閉鎖する手による閉扉操作や、これをクローザに任せる閉扉操作に較べて煩雑であることは否めない。
【０００５】
そこで、この発明は、引き違いとなる一方の引戸の閉鎖位置を大体定め、他方の引戸を閉鎖方向に引くだけで引戸の引分ができる引分装置を提供することを目的としている。
【課題を解決するための手段】
【０００６】
上記の目的を達成するため、請求項１に記載の発明は、引き違いとなる２枚の引戸の引戸閉鎖時重合する一対の召し合わせ框において、引戸閉鎖時相互に対向する面の一方である一の面の内側に、この一の面と平行な円板である駆動板をその中心軸の回りに回動可能に設け、この駆動板の外周部に植設した駆動ピンを、一の面に形成され、ほぼ水平方向に延在する円弧状の案内開口を挿通させて、引戸閉鎖時一の面と対向する他の面側に突出させ、一方、引戸閉鎖時戸枠と当接する戸先框側の端部を始端とし、反対側の端部を終端とする上記案内開口の外側で、始端と終端との間にばね掛けピンを設け、このばね掛けピンと駆動ピンとの間に思案ばねを弾装し、他方、他方の召し合わせ框の他の面にストライク板を装着し、このストライク板の戸先框側の側端縁部に駆動ピンを受入れる導入開口と、これに連設された縦長のガイド溝を形成したことを特徴とする。
【０００７】
また、請求項２に記載の発明は、引き違いとなる２枚の引戸の引戸閉鎖時重合する一対の召し合わせ框において、引戸閉鎖時相互に対向する面の一方である一の面の内側に、この一の面と平行な円板である駆動板をその中心軸の回りに回動可能に設け、この駆動板の外周部に植設した駆動ピンを、一の面に形成され、ほぼ水平方向に延在する円弧状の案内開口を挿通させて、引戸閉鎖時一の面と対向する他の面側に突出させ、一方、上記案内開口の引戸閉鎖時戸枠と当接する戸先框側の端部を始端、反対側の端部を終端と夫々定め、上記駆動板の外側、かつその中心軸に関し案内開口とは反対側で、案内開口の始端と終端との間にばね掛けピンを設け、このばね掛けピンと駆動ピンとの間に思案ばねを弾装し、他方、他方の召し合わせ框の他の面にストライク板を装着し、このストライク板の戸先框側の側端縁部に駆動ピンを受入れる導入開口と、これに連設された縦長のガイド溝を形成したことを特徴とする引戸の引分装置。
【０００８】
更にまた、請求項３に記載の発明は、上記請求項１又は２に記載の発明において、駆動板に歯車の歯を形成し、一方、駆動板の外側に、駆動板と噛み合い係合をするピニオンと、このピニオンに一方向クラッチを介して連結されるダンパーを設け、上記一方向クラッチが引戸閉鎖時作動してピニオンとダンパーとを連結するようにしたことを特徴とする。
【発明の効果】
【０００９】
上記のように構成された請求項１又は２に記載の引分装置は、引戸閉鎖時一方の引戸を大体の閉鎖位置に置き、他方の引戸を閉鎖するだけで、駆動ピンとストライク板のガイド溝との相互作用により引戸の引分が自動的に行われる。
【００１０】
また、引分動作の途中で思案ばねが作動するので、引分操作終了時にクリック感が生じると共に、引分の完了時その弾力により閉鎖状態が安定に保たれる。
【００１１】
更にまた、請求項３に記載の発明によれば、引分操作時において緩衝がなされるので操作感が良い、等種々の効果を奏する。
【発明を実施するための最良の形態】
【００１２】
召し合わせ框の一の面において、ほぼ水平方向に移動可能に支承された駆動ピンと、他の面に装着され、この駆動ピンと係合する縦長のガイド溝との相互作用により、簡単な機構で引戸の引分を自動的に行わせることができた。
【実施例１】
【００１３】
以下、この発明の実施例を図面を参照して説明する。
なお、説明の都合上、ここでは請求項１に係る請求項３に記載の発明について先に説明する。
【００１４】
図１及び図２において符号１は室外側の第１召し合わせ框を、符号２は室内側の第１召し合わせ框を夫々示し、図１に示すように、これら第１及び第２召し合わせ框１、２にはガラス板３の一端が填め込まれ、ガラス板３の他端は図示しない戸先框に填め込まれている。
【００１５】
そして、これら第１及び第２召し合わせ框１、２は、引戸閉鎖時相互に重合し、例えば図示しないクレセント錠によって錠止されることは従来の引戸と同様である。
【００１６】
上記第２召し合わせ框２内には、図１及び図３に示すように、第２召し合わせ框２の外面となる一の面４に平行な円形の駆動板５が、支軸６により回動可能に支承されている。
【００１７】
なお、図示の実施例では、上記一の面４はフロント板７の外面と同一面となっている。
【００１８】
この駆動板５の外周部で第１召し合わせ框１側の外面には駆動ピン８が植設されており、この駆動ピン８は、フロント板７（一の面４）に形成された円弧状の案内開口９を挿通して第１召し合わせ框１側に突出している。
【００１９】
上記案内開口９は、図３に示すように、ほぼ水平方向に延在するように、その支軸６回りの形成角度位置及び長さが定められている。
【００２０】
また、この案内開口９の図示しない戸先框側（図３及び図  で右側）の端部を始端９ａとし、反対側の端部を終端９ｂとする。
【００２１】
一方、図２及び図３に示すように、フロント板７の裏面側で、支軸６の半径方向において案内開口の外側、円周方向においてその始端９ａと終端９ｂとの間の角度位置にばね掛けピン１１が植設されている。
【００２２】
そして、このばね掛けピン１１と上記駆動ピン８との間に捩りコイルばねとしての思案ばね１２が弾装されている。
【００２３】
なお、この思案ばね１２として、例えば図８に示すように、一端を駆動ピン８に回動自在に支承され、中心軸の回りを回動可能に支承されたばね掛けピン１１に他端を摺動可能に案内されたばね杆１９を設け、このばね杆１９に圧縮コイルばねを弾装してもよい。
【００２４】
他方、図１乃至図３に示すように、第１召し合わせ框１の第２召し合わせ框２に対向する側の他の面１３（図１及び１３参照）には、駆動ピン８の一の面からの突出量より厚いストライク板１４が例えばねじ止めにより装着されている。
【００２５】
このストライク板１４の戸先框側の側端縁部で、案内開口の始端９ａにおける駆動ピン８の移動軌跡と干渉する部分には、駆動ピン８を受入れる導入開口１５（図３参照）と、これに連設された縦長のガイド溝１６とが形成されている。
【００２６】
また、図２及び図３に示すように、駆動板５の外周縁の一部に歯車の歯が切ってあり、この歯車は、第２召し合わせ框２内に設けられたダンパー１７のピニオン１８と噛み合っている。
【００２７】
このダンパー１７は、図示しない一方向クラッチを介してピニオン１８に連結されており、図３において駆動板５が時計方向に回動したとき、換言すればピニオン１８が反時計方向に回動したとき駆動板５に連結されてこれを干渉するように作動する。
【００２８】
このような機能を有するダンパーは従来周知であり、また、標準部品として一般に市販されているから、更に詳細な説明は省略する。
【００２９】
上記のように構成された請求項１、３に記載の発明の一実施例による引分装置は、例えば図１及び図３に示すように、第２召し合わせ框２を大体の閉鎖位置に置き、第１召し合わせ框１を左方に引いて閉鎖するものとする。
【００３０】
すると、閉鎖位置付近において、図３に示すように、案内開口の始端９ａに係合している駆動ピン８がストライク板の導入開口１５に入り込む。
【００３１】
更に第１召し合わせ框１を左方に移動させると、図４に示すように、駆動ピン８がストライク板のガイド溝１６の開口端縁と当接し、ストライク板１４が駆動ピン８を左方に押動する結果、駆動板５が時計方向に回動を始める。
【００３２】
すると、図５に示すように、駆動ピン８がガイド溝１６の内方に更に入り込む一方、一の面４に形成された案内開口９に沿って左方に移動するので、ストライク板１４に掴持された駆動ピン８に対し駆動板の支軸６が相対的に右方に押動される。すなわち、引戸の引分が行われる。
【００３３】
この引分動作と同時に思案ばね１２の両端が押し縮められ（図４及び図５参照）、駆動ピン８がばね掛けピン１１と支軸６の中心を結ぶ線を越えると、図６に示すように、思案ばね１２が開脚し、その弾力で引戸の引分操作が終了する（図７参照）。
【００３４】
また、図３乃至図６に示す引戸閉鎖及び引分操作中ダンパー１７が作動するから、第１召し合わせ框１をかなり勢い良く閉めても、或いは思案ばね１２が勢い良く開脚しても、引戸の動きが緩衝される。
【００３５】
反対に、閉鎖された引戸を開けるときには、図６に示す状態から第１召し合わせ框１を右方に押動し、或いは、第２召し合わせ框２を左方に押動する。
【００３６】
すると、ストライク板１４と駆動ピン８との相対位置関係は閉鎖時とは逆に図６、図５、図４及び図３のように変化して引戸が開く。
【００３７】
このときには、前記した一方向クラッチ付のダンパーの機能上ダンパーは作用しないので軽く開くが、思案ばね１２は作動するので引戸が開くときにもクリック感を呈する。
【実施例２】
【００３８】
引戸閉鎖時静かに引戸を動かす場合には引戸は準静的に移動するのでダンパー１７を設ける必要はない。このようにダンパーを省略した発明が請求項１に記載されている。
【実施例３】
【００３９】
図示の実施例では、ばね掛けピン１１を駆動ピン８に関して支軸６とは反対側に設けてある（図３参照）。
【００４０】
但し、ダンパーを省略し、ばね掛けピン１１を図３において支軸６の上方で駆動板５の外側に設けることができる。このようにばね掛けピン１１の位置を変えた発明が請求項２に記載されている。
【００４１】
この場合には、思案ばね１２を引張りコイルばねとし、これを駆動板５を跨ぐように弾装してもよいし、或いは、捩りコイルばねを採用してもよい。
【００４２】
ちなみに、請求項２に記載の発明においてもダンパー１７を設けることができる。この場合には、ダンパー１７の駆動板５回りの角度位置を適切に設定して、ダンパーと思案ばねとが干渉しないようにする（図示せず）。
【図面の簡単な説明】
【００４３】
【図１】請求項１に係る請求項３に記載の発明の一実施例による引分装置の要部平面図。
【図２】その一部断面側面図。
【図３】その一の面を正面に見たストライク板との相対位置関係を示す線図で引戸が少し開いている状態を示す。
【図４】図３と同様の線図で、図３の状態から少し閉まった状態を示す。
【図５】図３と同様の線図で、図４の状態から少し閉まった状態を示す。
【図６】図３と同様の線図で、引戸が完全に閉まった状態を示す。
【図７】１と同様の平面図で、引戸が完全に閉まった状態を示す。
【図８】思案ばねの他の例を示す線図。
【符号の説明】
【００４４】
１  第１召し合わせ框
２  第２召し合わせ框
３  ガラス板
４  一の面
５  駆動板
６  支軸
７  フロント板
８  駆動ピン
９  案内開口
１１  ばね掛けピン
１２  思案ばね
１３  他の面
１４  ストライク板
１５  導入開口
１６  ガイド溝
１７  ダンパー
１８  ピニオン
【図１】
0004687402.tif 000002
【図２】
0004687402.tif 000003
【図３】
0004687402.tif 000004
【図４】
0004687402.tif 000005
【図５】
0004687402.tif 000006
【図６】
0004687402.tif 000007
【図７】
0004687402.tif 000008
【図８】
0004687402.tif 000009